(57)【要約】【課題】  リード線自体の重量により、振動系のバランスがくずれ、ロ−リング現象を起こし、再生音に歪みが発生する。【解決手段】  平面視の外周形状が長円形又は楕円形を成した振動板３と、横断面形状が長円形又は楕円形を成して振動板３に取り付けられたボイスコイルボビン２６と、このボイスコイルボビン２６に巻装されたボイスコイル２１と、このボイスコイル２１に接続される一対のリード線２３，２４とを備えた長円型スピーカ装置において、ボイスコイル２１への一対のリード線２３，２４の接続位置Ｐ１，Ｐ２を、ボイスコイルボビン２６の長径軸Ｊ１上又は短径軸Ｊ２上に線対称に設定する。【選択図】        図４
2005217713.tif 000002
【特許請求の範囲】
【請求項１】
平面視の外周形状が長円形又は楕円形を成した振動板と、
横断面形状が長円形又は楕円形を成して前記振動板に取り付けられたボイスコイルボビンと、
前記ボイスコイルボビンに巻装されたボイスコイルと、
前記ボイスコイルに接続される一対のリード線と、を備え、
前記ボイスコイルへの前記一対のリード線の接続位置が、前記ボイスコイルボビンの長径軸又は短径軸に線対称に設定されていることを特徴とするスピーカ装置。
【請求項２】
前記ボイスコイルに接続される前記リード線の端部に、湾曲部が設けられていることを特徴とする請求項１に記載のスピーカ装置。
【請求項３】
前記湾曲部により、前記ボイスコイルに接続される接続端の向きが、前記ボイスコイルの成す長円形又は楕円形の接線方向に向けられていることを特徴とする請求項２に記載のスピーカ装置。
【発明の詳細な説明】
【技術分野】
【０００１】
本発明は、スピーカ装置に関し、特に、長円形又は楕円形のボイスコイルボビンを使用するスピーカ装置に関する。
【背景技術】
【０００２】
平面視の外周形状が長円形又は楕円形の振動板を使用するスピーカ装置は、真円形の振動板を使用した一般的なスピーカ装置と比較して、幅の狭いスペース等へ設置し易いだけでなく、振動板が長径方向へ広がっている分、振動板面積を稼ぐことができて、低域再生を向上させることができるというメリットを持つ。
さらに、平面視で長円形又は楕円形を成した振動板は、短径方向には指向性が弱まり、長径方向には指向性が強まるため、特定方向にのみ強い指向性が要求される場合に、極めて有用である。
【０００３】
特定方向にのみ指向性が要求される場合とは、例えば、映画館や車両の室内での音響再生等を挙げることができる。
映画館では、どの座席に座っても同様の音響効果が得られるように、水平方向（左右方向）には指向性を弱くし、且つ、天井や床からの音の反射を低減するために、垂直方向には指向性を強くすることが求められる。
また、車両の場合は、スピーカ装置の設置場所が限られており、しかも、スピーカ装置と搭乗者との距離を大きくとれないため、座席によって、スピーカ装置に対する向きが大きく変化する。そのため、もし、水平方向に指向性が強いスピーカ装置を使用すると、座席によっては、満足な音響が得られなくなってしまう。
【０００４】
このような特定方向にのみ強い指向性を持たせた再生を実現するために、映画館では、ホーン形スピーカシステムを採用する方法が普及しているが、ホーン形スピーカシステムは、通常、大型で、且つ高価であり、設置スペースが限られる車載用には馴染まない。
そこで、車載用としては、ホーン形スピーカシステムと比較して、小型で且つ安価な長円型スピーカ装置によるシステムが各種提案されている。
【０００５】
図１及び図２は、長円型のスピーカ装置の一例を示したものである。
図１及び図２に示すように、長円型のスピーカ装置１は、平面視の外周形状が長円形を成した振動板３と、横断面形状が長円形を成して振動板３に取り付けられたボイスコイルボビン５と、このボイスコイルボビン５に巻装されたボイスコイル７と、このボイスコイル７に接続される一対のリード線９，９とを備えている。
【０００６】
振動板３の外周縁部はエッジ１１に接合され、このエッジ１１の周縁のフランジ部がスピーカフレーム１３のエッジ支持部１３ａに固定されている。
ボイスコイルボビン５は、磁気回路１５のセンターポール１５ａの外周の円筒状の隙間１５ｂに挿入されると共に、センターポール１５ａの軸方向に移動自在にダンパー１７によって吊持されている。
【０００７】
一対のリード線９，９は、スピーカフレーム１３に装備された入力端子１９とボイスコイル７との間を接続している。
そして、従来のスピーカ装置においては、ボイスコイル７への一対のリード線９，９の接続位置Ｚ１，Ｚ２は、図３（ａ），（ｂ）に示すように、長円形のボイスコイルボビン５の中心に対して点対称に設定されている（例えば、特許文献１参照）。
【０００８】
【特許文献１】特開平１１−１４６４８８号公報
【発明の開示】
【発明が解決しようとする課題】
【０００９】
ところが、横断面形状が長円形又は楕円形のボイスコイルボビン５を採用するスピーカ装置では、中域以上の周波数帯域の再生時には、ボイスコイルに撓み動作が生じる。その際に、ボイスコイルボビン５の中心に対して点対称に接続された各リード線９自体の重量がボイスコイルボビン５の中心軸を回転させる回転モーメントを発生して、振動系の重量バランスを崩す。その結果、ボイスコイルボビン５にロ−リング現象(横揺れ)が生じ易くなり、ロ−リング現象によって再生音に歪みが発生するという問題があった。
【００１０】
本発明が解消しようとする課題としては、上述した従来技術において生じるボイスコイルボビンに生じるロ−リング現象によって再生音に歪みが発生するという問題がその一例として挙げられる。
【課題を解決するための手段】
【００１１】
請求項１のスピーカ装置は、平面視の外周形状が長円形又は楕円形を成した振動板と、横断面形状が長円形又は楕円形を成して前記振動板に取り付けられたボイスコイルボビンと、前記ボイスコイルボビンに巻装されたボイスコイルと、前記ボイスコイルに接続される一対のリード線と、を備え、前記ボイスコイルへの前記一対のリード線の接続位置が、前記ボイスコイルボビンの長径軸又は短径軸に線対称に設定されていることを特徴とする。
【発明を実施するための最良の形態】
【００１２】
以下、本発明に係る実施の形態のスピーカ装置について、図面を参照して詳細に説明する。
本実施の形態のスピーカ装置は、平面視の外周形状が長円形又は楕円形を成した振動板と、横断面形状が前記振動板の外周形状に相応した長円形又は楕円形を成して振動板に取り付けられたボイスコイルボビンと、このボイスコイルボビンに巻装されたボイスコイルと、このボイスコイルに接続される一対のリード線と、振動板の外周縁をエッジを介して支持するスピーカフレームと、ボイスコイルを収容する隙間を有した磁気回路等を備える。
【００１３】
すなわち、前述した図１及び図２に示すように、スピーカ装置１は、平面視の外周形状が長円形を成した振動板３と、横断面形状が長円形を成して振動板３に取り付けられたボイスコイルボビン５と、このボイスコイルボビン５に巻装されたボイスコイル７と、このボイスコイル７に接続される一対のリード線９，９とを備えている。
【００１４】
振動板３の外周縁部はエッジ１１に接合され、このエッジ１１の周縁のフランジ部がスピーカフレーム１３のエッジ支持部１３ａに固定されている。
ボイスコイルボビン５は、磁気回路１５のセンターポール１５ａの外周の円筒状の隙間１５ｂに挿入されると共に、センターポール１５ａの軸方向に移動自在にダンパー１７によって吊持されている。
【００１５】
そして、本発明の実施の形態におけるスピーカ装置は、ボイスコイルとリード線の接続構造が、従来の長円型のスピーカ装置と異なっており、以下、本発明の要部であるボイスコイルとリード線の接続構造について、第１の実施の形態〜第６の実施の形態を挙げて詳述する。
【００１６】
（第１の実施の形態）
図４は、本発明に係る長円型のスピーカ装置の第１の実施の形態におけるボイスコイル２１と一対のリード線２３，２４の接続構造を示したものである。
ボイスコイル２１は、横断面形状が振動板の長円形の外周形状に相応した長円形を成したボイスコイルボビン２６の外周に巻装されている。
一対のリード線２３，２４は、スピーカフレームに装備された入力端子とボイスコイル２１との間を接続している。
【００１７】
本実施の形態の場合、ボイスコイル２１への一対のリード線２３，２４の接続位置Ｐ１，Ｐ２を、ボイスコイルボビン２６の長径軸Ｊ１上に、短径軸Ｊ２に対して線対称に設定している。
【００１８】
また、本実施の形態の場合、ボイスコイル２１に接続される各リード線２３，２４の端部には、湾曲部２３ａ，２４ａを設けている。
また、各一対のリード線２３，２４の引き出し方向は、長径軸Ｊ１方向であるが、湾曲部２３ａ，２４ａを半円弧状にすることで、ボイスコイル２１に接続される接続端２３ｂ，２４ｂの向きを、ボイスコイル２１の成す長円形の接線方向（短径軸Ｊ２方向）に向けている。
【００１９】
以上に説明した第１実施の形態の長円型スピーカ装置では、一対のリード線２３，２４の重量は、何れもボイスコイルボビン２６の一方の中心軸Ｊ１上に作用して、他方の中心軸Ｊ２に対しては回転を規制する釣り合い重りとして作用するため、中域以上の周波数帯域の再生時にボイスコイル２１に撓み動作が生じる場合でも、各リード線２３，２４自体の重量が振動系の重量バランスを崩す原因とならない。
従って、振動系の重量バランスの逸失を原因とするロ−リング現象の発生を抑止して、歪みの少ない高品位な再生が可能になる。
【００２０】
さらに、この第１の実施の形態の場合、リード線２３，２４の端部に設けた湾曲部２３ａ，２４ａが振動や張力の伝播を吸収する余長（余裕部）となって、リード線２３，２４の慣性重量等がボイスコイル２１や振動板の振動に与える影響を低減することができるため、さらに、歪みの少ない高品位な再生が可能になる。
【００２１】
さらに、この第１の実施の形態の場合、湾曲部２３ａ，２４ａは半円弧状であり、それによって、リード線２３，２４の引き出し方向に拘わらず、ボイスコイル２１への接続端２３ｂ，２４ｂの方向はボイスコイル２１外周の接線方向に沿う方向となり、半田付けによるボイスコイル２１へのリード線２３，２４の接続作業が容易になり、生産性が向上する。
【００２２】
（第２の実施の形態）
図５は、本発明に係る長円型スピーカ装置の第２の実施の形態におけるボイスコイル２１と一対のリード線２３，２４の接続構造を示したものである。
本実施の形態の場合は、ボイスコイル２１への一対のリード線２３，２４の接続位置Ｐ１，Ｐ２を、ボイスコイルボビン２６の短径軸Ｊ２上に、長径軸Ｊ１に対して線対称に設定している。
この場合は、第１の実施の形態の場合よりも、各一対のリード線２３，２４の接続位置Ｐ１，Ｐ２がボイスコイル２１及びボイスコイルボビン２６の重心位置に近付くため、各リード線２３，２４自体の重量が振動系の重量バランスを崩す原因となり難くなる。
【００２３】
（第３の実施の形態）
図６は、本発明に係る長円型スピーカ装置の第３の実施の形態におけるボイスコイル２１と一対のリード線２３，２４の接続構造を示したものである。
図６に示すように、一対のリード線２３，２４に装備する湾曲部２３ａ，２４ａは、ボイスコイル２１への半田付けの作業性等でリード線先端の向きを調整する必要がない場合、すなわち、湾曲部２３ａ，２４ａが余裕を持たせる為だけに機能すればよい場合には、湾曲部２３ａ，２４ａを各リード線２３，２４の途中に装備するようにしても良い。
【００２４】
（第４，５，６の実施の形態）
また、一対のリード線２３，２４が、湾曲部２３ａ，２４ａが無くても、ボイスコイル２１の振動動作に対して、ボイスコイル２１へ負担をかけない十分に余裕の有る配索が実現できる場合には、図７に示す第４の実施の形態、図８に示す第５の実施の形態、図９に示す第６の実施の形態にそれぞれ示すように、湾曲部２３ａ，２４ａを省略することもできる。
【００２５】
また、一対のリード線２３，２４の接続位置Ｐ１，Ｐ２と、その接続位置Ｐ１，Ｐ２からの各リード線２３，２４の引き出し方向との組合せは、上記の第１〜第６の実施の形態に限らない。
例えば、一対のリード線２３，２４の接続位置Ｐ１，Ｐ２を、ボイスコイルボビン２６の長径軸Ｊ１上に、短径軸Ｊ２に対して線対称に設定した場合でも、各リード線２３，２４の引き出し方向は、図７に示すように、短径軸Ｊ２に沿う方向としたり、或いは、図８に示すように、所定の傾斜角を持たせることが可能である。
さらに、図９に示すように、一対のリード線２３，２４の接続位置Ｐ１，Ｐ２を、ボイスコイルボビン２６の短径軸Ｊ２上に、長径軸Ｊ１に対して線対称に設定した場合でも、各リード線２３，２４の引き出し方向に所定の傾斜角を持たせることが可能である。
【００２６】
なお、以上の各実施の形態は、ボイスコイルボビン２６の横断面形状が、長円形の振動板の外周形状に相応した長円形の場合であるが、ボイスコイルボビン２６の横断面形状が、楕円形の振動板の外周形状に相応して楕円形となる場合でも、本発明に係るボイスコイルとリード線の接続構造は適用できる。
【００２７】
また、各実施の形態の長円型スピーカ装置は、ボイスコイルや振動板におけるローリングの発生が抑止されて、高品位な高域再生が可能であるため、中高域用のスピーカ装置に利用することも有用であるが、長円状の振動板により振動板面積が大きいため、低域再生においても良好な周波数特性が得られる。従って、フルレンジスピーカとして、広い用途に利用することが可能である。
すなわち、本発明の長円型スピーカ装置の用途は、振動板の長径方向の無指向性を重視したホームシアタ用のスピーカや、車載用のスピーカに限らない。
例えば、長円型スピーカ装置の省スペース性を活かして、液晶テレビ等の平面型ディスプレイや、ノートパソコン、携帯電話等に搭載することも有望であり、用途は限定しない。
【００２８】
以上詳述したように、本発明の各実施の形態に係るスピーカ装置は、平面視の外周形状が長円形又は楕円形を成した振動板３と、横断面形状が長円形又は楕円形を成して振動板３に取り付けられたボイスコイルボビン２６と、このボイスコイルボビン２６に巻装されたボイスコイル２１と、このボイスコイル２１に接続される一対のリード線２３，２４とを備えた長円型スピーカ装置において、ボイスコイル２１への一対のリード線２３，２４の接続位置Ｐ１，Ｐ２を、ボイスコイルボビン２６の長径軸Ｊ１上又は短径軸Ｊ２上に線対称に設定されているので、ボイスコイルや振動板におけるローリングの発生が抑止されて、高品位な高域再生が可能である。
【図面の簡単な説明】
【００２９】
【図１】長円型スピーカ装置の平面図である。
【図２】図１に示した長円型スピーカ装置の一部断面した側面図である。
【図３】従来の長円型スピーカ装置におけるボイスコイルとリード線との接続構造の説明図で、（ａ）は平面図、（ｂ）は側面図である。
【図４】本発明に係る長円型スピーカ装置の第１の実施の形態の要部の平面図である。
【図５】本発明に係る長円型スピーカ装置の第２の実施の形態の要部の平面図である。
【図６】本発明に係る長円型スピーカ装置の第３の実施の形態の要部の平面図である。
【図７】本発明に係る長円型スピーカ装置の第４の実施の形態の要部の平面図である。
【図８】本発明に係る長円型スピーカ装置の第５の実施の形態の要部の平面図である。
【図９】本発明に係る長円型スピーカ装置の第６の実施の形態の要部の平面図である。
【符号の説明】
【００３０】
２１  ボイスコイル
２３，２４  リード線
２３ａ，２４ａ  湾曲部
２６  ボイスコイルボビン
Ｊ１  長径軸
Ｊ２  短径軸
Ｐ１，Ｐ２  接続位置
【図１】
2005217713.tif 000003
【図２】
2005217713.tif 000004
【図３】
2005217713.tif 000005
【図４】
2005217713.tif 000006
【図５】
2005217713.tif 000007
【図６】
2005217713.tif 000008
【図７】
2005217713.tif 000009
【図８】
2005217713.tif 000010
【図９】
2005217713.tif 000011